(57)【要約】      （修正有）【課題】使用者の顔周辺の空間に浮遊するウイルス、雑菌等の微生物及び花粉や塵などに対する防御を効果的に行うメガネ式マスク装置を提供する。【解決手段】使用者の頭部に装着される基部１と、基部に回動可能に取り付けられ、顔を覆う透視性のカバー２と、基部に取り付けられ、耳及び鼻梁等の顔の部位に当接するメガネ式フレーム３と、基部に取り付けられ、カバーとカバーで覆われた顔との間の空間内に送風する送風手段４とを備える。送風手段は、電動式フラットファンと、該フラットファンからの送風を空間内にガイドする送風ガイドとを含む。送風手段は、２枚の挟み片を更に含み、該２枚の挟み片の間に電動式フラットファンを挟み込んで成る。【選択図】図１
0003233076.tif 000002
【実用新案登録請求の範囲】
【請求項１】
使用者の頭部に装着される基部と、
前記基部に回動可能に取り付けられ、顔を覆う透視性のカバーと、
前記基部に取り付けられ、耳及び鼻梁等の顔の部位に当接するメガネ式フレームと、
前記基部に取り付けられ、前記カバーと該カバーで覆われた顔との間の空間内に送風する送風手段と
を備えることを特徴とするメガネ式マスク装置。
【請求項２】
前記送風手段は、電動式フラットファンと、該フラットファンからの送風を前記空間内にガイドする送風ガイドとを含むことを特徴とする、請求項１のメガネ式マスク装置。
【請求項３】
前記送風手段は、２枚の挟み片を更に含み、該２枚の挟み片の間に前記電動式フラットファンを挟み込んで成り、
前記各挟み片は通気孔を有し、前記電動式フラットファンの吸風面及び排風面は該各挟み片の前記通気孔にそれぞれ面していることを特徴とする、請求項２のメガネ式マスク装置。
【請求項４】
前記２枚の挟み片は、脱着式の止め具によって脱着可能に連結され、該止め具を外した状態で前記電動式フラットファンを該２枚の挟み片の間に脱着されることを特徴とする、請求項３のメガネ式マスク装置。
【請求項５】
前記基部は前面部を含み、この前面部の裏面には、頭部への装着性を良好にするための弾性素材からなるフィット部材が設けられており、ここで、該フィット部材は、前記送風手段による送風を妨げないように開放空間を形成するように設けられていることを特徴とする、請求項１乃至４のいずれかのメガネ式マスク装置。
【請求項６】
前記送風手段は、冷房及び暖房の少なくとも一方を行い得る熱交換装置を付属して有することを特徴とする、請求項１乃至５のいずれかのメガネ式マスク装置。
【請求項７】
前記送風手段は、送風経路において除菌手段を設けたことを特徴とする、請求項１乃至６のいずれかのメガネ式マスク装置。
【考案の詳細な説明】
【技術分野】
【０００１】
本考案は、人の顔周辺の空間に浮遊するウイルス、雑菌等の微生物及び花粉や塵などを効果的に排除しうるメガネ式マスク装置に関する。
【背景技術】
【０００２】
最近の流行性疾病「ＣＯＶＩＤ−１９」の猖獗に対処するために、フェースマスクの徹底的な着用が広く望まれている。フェースマスクには、大別して２つの種類のものがある。１つは口及び鼻を覆蓋する不織布製又は布製若しくは高分子繊維製の周知の口マスクであり、もう１つは透明プラスチック製のカバーで顔全体若しくは口を含む多くの部分を覆うフェースシールドである。口マスクは使用者の口及び鼻に密着し且つ顔の表情を隠すのに対して、フェースシールドは口及び鼻に密着せず且つ顔の表情を露にするので、接客等の使用環境によっては使い勝手がよいというメリットがある。しかし、公知のフェースシールドは、人の顔周辺の空間における換気を十分に行えないので、人の顔周辺の空間におけるウイルス、雑菌等の微生物に対する防御が不十分であった。なお、下記特許文献１には、ヘルメットあるいは帽子などの内部に送風ファンを設け、頭部を冷却することが示されている。
【先行技術文献】
【特許文献】
【０００３】
【特許文献１】実用新案登録第３０４６６８３号公報
【考案の概要】
【考案が解決しようとする課題】
【０００４】
本考案は上述の点に鑑みてなされたもので、フェースシールド式マスクの持つ使い勝手の良さを活かしつつ、使用者の顔周辺の空間に浮遊するウイルス、雑菌等の微生物及び花粉や塵などに対する防御を効果的に行いうるように構成したメガネ式マスク装置を提供することを目的とする。
【課題を解決するための手段】
【０００５】
本考案に係るメガネ式マスク装置は、使用者の頭部に装着される基部と、前記基部に回動可能に取り付けられ、顔を覆う透視性のカバーと、前記基部に取り付けられ、耳及び鼻梁等の顔の部位に当接するメガネ式フレームと、前記基部に取り付けられ、前記カバーと該カバーで覆われた顔との間の空間内に送風する風手段とを備えることを特徴とする。
【０００６】
本考案によれば、送風手段による送風によってカバーと該カバーで覆われた顔との間の空間における換気を十分に行うことができるので、該空間に浮遊するウイルス、雑菌等の微生物及び花粉や塵などに対する防御を効果的に行うことができ、殺菌・ウイルス等の微生物及び花粉や塵などの排除性能を高めることができる。また、装着時において、頭部に装着される基部のみならず、メガネ式フレームによる顔部位への当接によっても本装置全体を安定的に支持できるので、送風手段によって付加される装置荷重の増加に適切に対処し得る。
【図面の簡単な説明】
【０００７】
【図１】本考案に係るメガネ式マスク装置の一実施例を示す概略斜視図。
【図２】同実施例における送風手段を拡大し且つ部分的に分解して略示する斜視図。
【図３】同実施例における基部の前面部を裏側から見た概略斜視図であり、特に、基部の前面部の裏面にフィット部材が設けられる様子を説明する図。
【考案を実施するための形態】
【０００８】
本考案の一実施例に係るメガネ式マスク装置は、図１に示すように、使用者の頭部に装着される基部１と、使用者の顔を覆う透視性のカバー２と、使用者の耳及び鼻梁等の顔の部位に当接するメガネ式フレーム３と、基部１に取り付けられた送風手段４を備える。図示の便宜上破線で示してある基部１は、前面部１ａと、締め付けベルト部１ｂと、連結部１ｃとを含み、例えば適度の硬度を持つプラスチック素材からなる。締め付けベルト部１ｂは、磁石式ファスナー、面ファスナー、ベルト孔式締め具等任意のサイズ調整式締め付け手段（不図示）を具備していて、使用者の頭部サイズに適合させて該基部１を使用者の頭部に装着させることができるように構成されている。頭部に見合った湾曲形状からなる連結部１ｃは、締め付けベルト部１ｂの頭部左右位置から頭頂を通るように延びて、該締め付けベルト部１ｂの頭部左右位置の間をアーク状に連結している。前面部１ａの裏面には、１点鎖線にて略示するように、スポンジ等の弾性素材によって頭部への装着性を良好にするような形状に形成されたフィット部材１ｄ、１ｅが貼り付けられている。
【０００９】
カバー２は、基部１の内側に装着され、基部１に対して回動可能に取り付けられている。さらに、メガネ式フレーム３は該カバー２の内側に装着されている。カバー２及びメガネ式フレーム３は、略こめかみ辺りに配置された左右１対の軸５を介して基部１に回動可能に取り付けられている。これによって、本装置を頭部に装着した状態で、透明カバー２を開閉する（顔に近づけたり、顔から遠ざけたり）ことができる。したがって、本装置を頭部に装着したままの状態で、透明カバー２を上方に適量回動することで、使用者の口周囲が開放されるので、飲食行為を容易に行うこともでき、便利である。
【００１０】
送風手段４は、一例として、縫い付け又は接着若しくは着脱式ファスナー構造（又は磁石接続構造）等によって、基部１の前面部１ａと連結部１ｃとの間に固定される。送風手段４は、電動式ファンを備えており、カバー２と該カバー２で覆われた顔との間の空間内に送風する。一例として、図２の拡大図に示すように、送風手段４は、電動式フラットファン４ａと、該フラットファン４ａからの送風を前記空間内にガイドする送風ガイド４ｂとを含む。図２において、送風手段４は、２枚の挟み片４ｃ，４ｄを更に含み、該２枚の挟み片４ｃ，４ｄの間に電動式フラットファン４ａを挟み込むように構成されている。さらに詳しくは、各挟み片４ｃ，４ｄは通気孔４ｃ１，４ｄ１を有し、前記電動式フラットファン４ａの吸気面４ａ１及び排気面４ａ２は該各挟み片４ｃ，４ｄの各通気孔４ｃ１，４ｄ１にそれぞれ面するように配置される。詳しくは、上側の挟み片４ｃの通気孔４ｃ１が電動式フラットファン４ａの吸気面４ａ１に面し、下側の挟み片４ｄの通気孔４ｄ１が電動式フラットファン４ａの排気面４ａ２に面する。一例として、通気孔４ｃ１，４ｄ１は、メッシュ又は格子若しくは桟で通気的に覆われるように構成される。
【００１１】
さらに詳しくは、２枚の挟み片４ｃ，４ｄは、脱着式の止め具４ｅによって脱着可能に連結され、該止め具４ｅを外した状態で前記電動式フラットファン４ａを該２枚の挟み片４ｃ，４ｄの間に挿入又は挟み片４ｃ，４ｄの間から取り出すことが可能であり、もって、電動式フラットファン４ａを挟み片４ｃ，４ｄの間に脱着可能となっている。なお、止め具４ｅは、図示例では４つのフックボタンからなっているが、これに限らず、開閉式ファスナー等、適宜の開閉式止め具手段を用いてよい。また、２枚の挟み片４ｃ，４ｄは、適宜の部位４ｆで部分的に連結（縫い付け）されていてもよい。電動式フラットファン４ａは、市販されている電動式フラットファンを簡易に流用可能であり、これにより、専用のファンを使用する必要がないので、装置を安価に製造することができる。
【００１２】
送風ガイド４ｂは、下側の挟み片４ｄに取り付けられており、該挟み片４ｄの通気孔４ｄ１に面して該送風ガイド４ｂの入口４ｂ１が開口し、該送風ガイド４ｂの出口４ｂ２が前記カバー２と該カバー２で覆われた顔との間の空間に臨むように開口している。電動式フラットファン４ａは、導電線４ａ３を介して電池（不図示）に接続され、該電池からの電力によって送風駆動される。例えば、該電池は使用者のポケット等適宜の場所に収容され得る。また、該電池の収納ケース（不図示）に制御回路（不図示）及び操作子（不図示）が収納され、該操作子のユーザ操作によって電動式フラットファン４ａが送風する風力をＯＮ／ＯＦＦし、また複数段階に調整し得るように構成され得る。
【００１３】
さらに、送風手段４における送風経路の適宜箇所（例えば吸入側の通気孔４ｃ１の裏面、あるいは電動式フラットファン４ａの吸気面４ａ１）に着脱式に除菌シート又はその他の除菌手段を設けるようにしてもよい。除菌シートは又はその他の除菌手段としては、公知の除菌原理（例えばアルコール式除菌原理及び／又は銀イオン式除菌原理）に基づくものを使用するとよい。
【００１４】
以上の構成により、電動式フラットファン４ａを送風駆動すると、上側の挟み片４ｃの通気孔４ｃ１を介して外気が取り込まれ、送風ガイド４ｂの出口４ｂ２から出た外気が前記カバー２と該カバー２で覆われた顔との間の空間内に送り込まれる。なお、送風手段４の挟み片４ｃ，４ｄ及び送風ガイド４ｂは、布あるいは柔軟なプラスチック、合成樹脂等、適宜の素材で形成してよい。
【００１５】
一実施例として、図１及び図３に略示するように、前記基部１の前面部１ａの裏面には、２個のフィット部材１ｄ、１ｅが設けられている。この２個のフィット部材１ｄ、１ｅは、概ね使用者の両眉の上方に対応するような位置で配置され、両者間の概ね使用者の眉間の上あたりが開放空間ＯＳとなっており、この開放空間ＯＳに（つまり２個のフィット部材１ｄ、１ｅの間に）送風ガイド４ｂが位置し得るようになっているか、若しくは、送風ガイド４ｂの出口４ｂ２から出た風が該開放空間を通ってカバー２と該カバー２で覆われた顔との間の空間内に送り出され得るようになっている。すなわち、フィット部材１ｄ、１ｅは、送風手段４による送風を妨げないように開放空間ＯＳを形成するように設けられている。
【００１６】
さらに、送風手段４に付属して、冷房及び暖房の少なくとも一方を行い得る熱交換装置を設けてもよい。熱交換装置としては、電池駆動しうる公知のペルチェ素子を利用することができる。例えば、寒い季節に適度の温風を送風できるように、暖房仕様のペルチェ素子を送風手段４の適宜箇所に配置するとよい。あるいは、必要に応じて、冷暖房切り換え式の熱交換装置として構成してもよい。
【００１７】
以上の通り、本考案によれば、カバー２と該カバー２で覆われた顔との間の空間における換気を十分に行うことができるので、該空間に浮遊するウイルス、雑菌等の微生物及び花粉や塵などに対する防御を効果的に行うことができ、殺菌・ウイルス等の微生物及び花粉や塵などの排除性能を高めることができる。また、装着時において、頭部に装着される基部１のみならず、メガネ式フレーム３による顔部位への当接によっても本装置全体を安定的に支持できるので、送風手段４によって付加される装置荷重の増加に適切に対処し得る。さらに、メガネ式フレーム３の鼻梁挟持部位により使用者の顔からある程度の高さが確保されるので、使用者が眼鏡を掛けた状態でも、本装置を問題なく装着することができる。
【符号の説明】
【００１８】
１  基部
１ａ  前面部
１ｂ  締め付けベルト部
１ｃ  連結部
１ｄ  フィット部材
２  カバー
３  メガネ式フレーム
４  送風手段
４ａ  電動式フラットファン
４ａ１  吸気面
４ａ２  排気面
４ｂ  送風ガイド
４ｂ１  入口
４ｂ２  出口
４ｃ，４ｄ  挟み片
４ｃ１，４ｄ１  通気孔
４ｅ  脱着式の止め具
【図１】
0003233076.tif 000003
【図２】
0003233076.tif 000004
【図３】
0003233076.tif 000005